(57)【特許請求の範囲】
【請求項１】
ロール紙から繰り出した用紙をカッタ部を通してから記録部へと送り込み、その記録部で該用紙に記録を行うとともに、前記カッタ部で該用紙を所定長さにカットする画像記録装置において、
前記カッタ部を通して用紙を搬送するフィードローラと、
前記記録部にむけて用紙を搬送し、前記フィードローラと同じ線速で回転する搬送ローラと、
その搬送ローラと前記フィードローラの間に設け、そのフィードローラより遅い線速で回転するとともに、用紙の先端が搬送ローラに達したとき、その搬送ローラと同じ線速で連れ回りする中継ローラと
を設けるとともに、
前記フィードローラと前記中継ローラの間に用紙にたわみを形成する用紙たわみ部を設け
てなる、画像記録装置。
【請求項２】
前記用紙たわみ部に、用紙をたわみ可能に支持する用紙支持部材を備えてなる、請求項１に記載の画像記録装置。
【請求項３】
前記用紙たわみ部における用紙のたわみにより押されて変形可能な弾性部材で、前記用紙支持部材を形成してなる、請求項２に記載の画像記録装置。
【請求項４】
用紙をたわみなく案内する閉じ位置とたわませながら案内する開き位置とに前記用紙支持部材を回動可能に設けるとともに、前記用紙たわみ部における用紙のたわみにより押されて前記開き位置に回動可能に前記用紙支持部材を前記閉じ位置へと付勢する付勢部材を設けてなる、請求項２に記載の画像記録装置。
【請求項５】
用紙をたわみなく案内する閉じ位置とたわませながら案内する開き位置とに前記用紙支持部材を回動可能に設けるとともに、その用紙支持部材を移動するソレノイドと、搬送用紙を検知してそのソレノイドを作動するセンサとを設けてなる、請求項２に記載の画像記録装置。
【請求項６】
用紙をたわみなく案内する閉じ位置とたわませながら案内する開き位置とに前記用紙支持部材を回動可能に設けるとともに、その用紙支持部材を移動するソレノイドと、用紙送り用ステップモータのパルス数を計数して前記ソレノイドを作動する制御手段とを設けてなる、請求項２に記載の画像記録装置。
【発明の詳細な説明】
【０００１】
【産業上の利用分野】
この発明は、たとえばプリンタ・複写機・ファクシミリ・印刷機など、用紙に画像を記録する画像記録装置に関する。
【０００２】
従来、この種の画像記録装置、たとえば複写機の中には、図１５に示すように、給紙装置１内にセットしたロール紙Ｐから用紙Ｓを繰り出し、カッタ部２を通して装置本体３内の記録部Ｒへと送りこみ、その記録部Ｒにより用紙Ｓ上に画像を記録するとともに、その用紙Ｓが所定長さになったところで該用紙Ｓをカッタ部２でカットするものがある。
【０００３】
【発明が解決しようとする課題】
ところで、そのように繰り出した用紙Ｓをカット部２でカットする間、その用紙Ｓの送りを止める必要がある。ところが、カッタ部２から記録部Ｒまでの距離が短いと、カッタ部２でカットする前に用紙Ｓの先端が記録部Ｒの感光体４に到達してしまう。このため、カッタ部２でカットするとき用紙Ｓの搬送を止めると、記録部Ｒでの画像記録に悪影響が生ずることとなる。
【０００４】
そこで、この発明の目的は、ロール紙から繰り出した用紙をカッタ部を通してから記録部へと送り込み、その記録部で該用紙に記録を行うとともに、カッタ部で該用紙を所定長さにカットする画像記録装置において、用紙をカットする間その用紙送りを止めることによって画像記録に悪影響を与えることを防止することにある。
【０００５】
【課題を解決するための手段】
そのため、この発明は、たとえば以下の図示実施例に示すとおり、ロール紙Ｐから繰り出した用紙Ｓをカッタ部１８を通してから記録部Ｒへと送り込み、その記録部Ｒで該用紙Ｓに記録を行うとともに、前記カッタ部１８で該用紙Ｓを所定長さにカットする画像記録装置において、
前記カッタ部１８を通して用紙Ｓを搬送するフィードローラ１９と、
前記記録部Ｒにむけて用紙Ｓを搬送し、前記フィードローラ１９と同じ線速で回転する搬送ローラ２２と、
その搬送ローラ２２と前記フィードローラ１９の間に設け、そのフィードローラ１９より遅い線速で回転するとともに、用紙Ｓの先端が搬送ローラ２２に達したとき、その搬送ローラ２２と同じ線速で連れ回りする中継ローラ２１と
を設けるとともに、
前記フィードローラ１９と前記中継ローラ２１の間に用紙Ｓにたわみｆを形成する用紙たわみ部５５を設け
てなる、画像記録装置。
【０００６】
請求項２に記載のものは、たとえば以下の図示実施例に示すとおり、請求項１に記載の画像記録装置において、前記用紙たわみ部５５に、用紙Ｓをたわみ可能に支持する用紙支持部材５４を備えてなる、ことを特徴とする。
【０００７】
請求項３に記載のものは、たとえば以下の図示実施例に示すとおり、請求項２に記載の画像記録装置において、前記用紙たわみ部５５における用紙Ｓのたわみｆにより押されて変形可能な弾性部材で、前記用紙支持部材５４を形成してなる、ことを特徴とする。
【０００８】
請求項４に記載のものは、たとえば以下の図示実施例に示すとおり、請求項２に記載の画像記録装置において、用紙Ｓをたわみなく案内する閉じ位置とたわませながら案内する開き位置とに前記用紙支持部材５４を回動可能に設けるとともに、前記用紙たわみ部５５における用紙Ｓのたわみｆにより押されて前記開き位置に回動可能に前記用紙支持部材５４を前記閉じ位置へと付勢するねじりコイルばね８２のような付勢部材を設けてなる、ことを特徴とする。
【０００９】
請求項５に記載のものは、たとえば以下の図示実施例に示すとおり、請求項２に記載の画像記録装置において、用紙Ｓをたわみなく案内する閉じ位置とたわませながら案内する開き位置とに前記用紙支持部材５４を回動可能に設けるとともに、その用紙支持部材５４を移動するソレノイド８５と、搬送用紙Ｓを検知してそのソレノイド８５を作動するセンサ９０とを設けてなる、ことを特徴とする。
【００１０】
請求項６に記載のものは、たとえば以下の図示実施例に示すとおり、請求項２に記載の画像記録装置において、用紙Ｓをたわみなく案内する閉じ位置とたわませながら案内する開き位置とに前記用紙支持部材５４を回動可能に設けるとともに、その用紙支持部材５４を移動するソレノイド８５と、用紙送り用ステップモータのパルス数を計数して前記ソレノイド８５を作動する制御手段とを設けてなる、ことを特徴とする。
【００１１】
【作用】
そして、ロール紙Ｐから繰り出した用紙Ｓをカッタ部１８を通して記録部Ｒへと送り込むとともに、用紙たわみ部５５でフィードローラ１９と中継ローラ２１の線速の差により該用紙Ｓにたわみｆを形成する。しかして、その用紙Ｓが所定長さになったところでその繰り出し方向後端側での搬送を止める一方、その先端側では搬送を続ける。すると、既に形成した用紙Ｓのたわみ量が次第に小さくなるが、そのたわみｆがなくなる前に、素速くカッタ部１８でカットする。
【００１２】
請求項２ないし６に記載のものでは、用紙Ｓをたわみなく真っ直に搬送するとき用紙支持部材５４を閉じ位置とし、その用紙Ｓをたわませながら搬送するとき用紙支持部材５４を開き位置にしてそのたわんだ用紙Ｓを該用紙支持部材５４で支持する。
【００１３】
【実施例】
以下、図面を参照しつつ、この発明の実施例について説明する。
図１は、この発明の一実施例である複写機の概略構成図である。
【００１４】
図中符号１０は、その複写機の装置本体である。装置本体１０の下側には、給紙装置２０を備える。そして、装置本体１０では、その給紙装置２０により下方から送り込んだ用紙上に記録部Ｒで画像を記録する。すなわち、図中矢印イ方向に駆動するベルト状の感光体１１の表面を帯電器１２で一様に帯電し、その表面に光書込み器１３で光書込みを行って静電潜像を形成し、その潜像を現像器１４で現像して感光体１１の表面に可視像を形成し、この可視像を前記用紙に転写器１６で転写する。そして、その用紙上の転写画像を定着して後、該用紙を外部へと排出する。
【００１５】
ところで、上述した給紙装置２０は、図２に示すように、装置本体１０に対して出し入れ自在に取り付けた給紙カセット１５を備える。給紙カセット１５は、上方を開口した箱状をなし、その内部の出し入れ方向Ａ奥側にロール紙収納凹部１５ａを形成し、手前側に給紙口１５ｂを上向きに開けた搬送通路１５ｃを形成する。そして、この給紙カセット１５内に、ロール紙収納凹部１５ａから給紙口１５ｂに向けて、図１に示すように、順次ピックアップローラ１７、カッタ部１８、フィードローラ１９、中継ローラ２１、レジストローラ２２を設ける。それらローラ１７・１９・２１・２２は、それぞれ図２に示した両側板部１５ｆ・１５ｇで回転自在に支持する。また、その両側板部１５ｆ・１５ｇの外面に、それぞれ出し入れ方向Ａにガイドレール１４を取り付け、手前側の前板部１５ｄの外面に把手１５ｅを設けてなる。
【００１６】
そして、ピックアップローラ１７には、図３に示すように、その上に加圧コロ２４を配置する。加圧コロ２４は、水平軸２５を中心に回動自在に支持したアーム２６で保持する。そして、アーム２６を、水平軸２５に巻き付けたねじりコイルバネ２７で付勢して加圧コロ２４をピックアップローラ１７に押し当ててなる。フィードローラ１９には、その上から加圧コロ２８を、そのコロ軸２８ａの両端をＬ状板ばね２９・２９で付勢して押し当ててなる。中継ローラ２１には、その下から加圧コロ３０を、そのコロ軸３０ａの両端をＬ状板ばね３１・３１で付勢して押し当ててなる。レジストローラ２２には、その横から加圧コロ３２を、そのコロ軸３２ａの両端をＬ状板ばね３３・３３で付勢して押し当ててなる。
【００１７】
また、ピックアップローラ１７は、一側の側板部１５ｆの外側で、そのローラ軸１７ａの一端に電磁クラッチ３５およびそのクラッチギヤ３６を設ける。フィードローラ１９は、そのローラ軸１９ａの一端に電磁クラッチ３７およびそのクラッチギヤ３８を設ける。そして、クラッチギヤ３６・３８と、側板部１５ｆに取り付けた給紙モータ４０のモータギヤ４１間に、エンドレスのタイミングベルト４２を掛け渡す。
【００１８】
中継ローラ２１には、そのローラ軸２１ａの一端に、中継ギヤ４３を図示省略するワンウェイクラッチを介して取り付ける。中継ギヤ４３は、側板部１５ｆで支持したアイドラギヤ４４と同軸の伝達ギヤ４５と噛み合う。レジストローラ２２は、中継ローラ２１の場合と同様に、そのローラ軸２２ａの一端に、ワンウェイクラッチを介してレジストギヤ４６を取り付ける。レジストギヤ４６は、アイドラギヤ４７と同軸の伝達ギヤ４８と噛み合わす。そして、アイドラギヤ４７とアイドラギヤ４４とクラッチギヤ３８間に、エンドレスのタイミングベルト４９を掛け渡す。しかして、タイミングベルト４２・４９を介して給紙モータ４０の駆動力を各ローラ１７・１９・２１・２２へと伝達可能とする。そうして、この給紙装置２０では、上記アイドラギヤ４４として大歯車を用い、その大歯車４４を介して回転伝達される中継ローラ２１の線速（用紙送り速度）を、その前後のフィードローラ１９およびレジストローラ２２の線速より遅くなるように調節する。たとえばフィードローラ１９およびレジストローラ２２の線速を１８０ｍｍ／ｓｅｃとし、中継ローラ２１の線速を８５ｍｍ／ｓｅｃとする。
【００１９】
また、前記カッタ部１８は、その長さ方向に用紙挿入口１８ａを有し、その片側に専用のカッタモータ５０を取り付けてなる。さらに、給紙カセット１５内には、該カッタ部１８とピックアップローラ１７間に、たとえば光反射型のロール紙切れ検知センサ５１を設置する。レジストローラ２２の近くには、カットした用紙の通過を検知するレジストセンサ５２を設置してなる。
【００２０】
ところで、上述した給紙装置２０は、図１に示すように、カッタ部１８と中継ローラ２１間に、ほぼ水平な固定の上ガイド板５３を備え、その上ガイド板５３の下側に用紙支持部材５４を備える。用紙支持部材５４は、たとえばマイラのような薄板状の弾性部材で形成し、その一端を加圧コロ３０の近くのガイド板５６に固定して他端側を下方にたわみ可能に設ける。しかして、給紙装置２０では、線速に差のある前後のフィードローラ１９と中継ローラ２１の間に構成する用紙たわみ部５５を設けてなる。
【００２１】
なお、給紙カセット１５には、図２に示すように、側板部１５ｆの出し入れ方向Ａ奥側に、信号線等を接続した板状のＰＣＢ５７を取り付け、そのＰＣＢ５７上に凸コネクタ５８を取り付けてなる。
【００２２】
他方、装置本体１０には、給紙カセット１５を出し入れ可能に収納するカセット収納部１０ａをあけ、そのカセット収納部１０ａの奥側に該凸コネクタ５８に対応して凹コネクタ５９を取り付けてなる。そして、カセット収納部１０ａの両内側部に、それぞれ長手のステー６０を出し入れ方向Ａに取り付け、両ステー６０にそれぞれスライドレール６１を摺動自在に取り付けてなる。しかして、そのスライドレール６１に給紙カセット１５の前記ガイドレール１４を取り付け、そのガイドレール１４を介して給紙カセット１５を出し入れ自在に装置本体１０に取り付ける。
【００２３】
しかして、上述した画像記録装置において、ロール紙を使用して記録を行うとき、まず、図２に示すように、給紙カセット１５を把手１５ｅをもってカセット収納部１０ａから引き出し、図１に示すように、ロール紙収納凹部１５ａにロール紙Ｐを入れてセットする。そして、図３で示すアーム２６をねじりコイルバネ２７に抗して持ち上げて加圧コロ２４をピックアップローラ１７から離す。しかして、ロール紙Ｐから用紙Ｓを引き出してピックアップローラ１７・加圧コロ２４間を通しカッタ部１８の用紙挿入口１８ａに入れる。しかる後、給紙カセット１５をカセット収納部１０ａ内へ押し込む。そして、凸コネクタ５８を凹コネクタ５９に係合して給紙カセット２０を装置本体１０に電気的に接続する。
【００２４】
しかる後、給紙モータ４０を駆動して中継ローラ２１およびレジストローラ２２を回転し、また、電磁クラッチ３５・３７をオンしてピックアップローラ１７およびフィードローラ１９を回転して矢印Ｃ方向に用紙Ｓを繰り出す。繰り出した用紙Ｓは、図１に示すように、中継ローラ２１と加圧コロ３０間に到達したとき、フィードローラ１９との線速の差によりループ状のたわみｆを形成する。すると、その用紙Ｓのたわみｆに押されて用紙支持部材５４がたわみ、鎖線で示す閉じ位置から実線で示す開き位置へ移動する。
【００２５】
そして、用紙Ｓを所定の長さまで送ったときカッタ部１８でカットするが、その長さが、先端がレジストローラ２２と加圧コロ３２間まで到達しない比較的短い場合には、まず、用紙Ｓをその長さまで送ったところで、給紙モータ４０の駆動を停止して用紙Ｓの送りを止める。しかる後、カッタモータ５０を駆動してカッタ部１８の歯を初期待機位置から移動し、その歯で用紙Ｐをカットする。カット後、カッタモータ５０を逆駆動してその歯を初期待機位置に戻すとともに、電磁クラッチ３５をオフにしてピックアップローラ１７への回転伝達を遮断してから、給紙モータ４０を再駆動してカット用紙Ｓを搬送方向Ｂに送る。そして、そのカット用紙Ｓがレジストローラ２２と加圧コロ３２間に達したとき、中継ローラ２１を、前記ワンウェイクラッチによりレジストローラ２２と同じ線速で連れ回りして用紙Ｓを記録部Ｒへと送り込む。しかして、カット用紙Ｓを搬送してたわみｆが小さくなるに従って用紙支持部材５４がその弾性で閉じ位置に戻る。
【００２６】
また、用紙のカット長さが、レジストローラ２２と加圧コロ３２間にまで先端が到達する比較的長い場合には、まず、上記のように用紙Ｓをその長さまで送ったところで、今度は、電磁クラッチ３５・３７をオフにしてピックアップローラ１７およびフィードローラ１９への回転伝達を遮断して用紙Ｓの繰り出し方向Ｃ後端側での用紙送りを止める一方、中継ローラ２１およびレジストローラ２２を同じ線速で回転して用紙Ｓの繰り出し方向Ｃ先端側では用紙送りを続ける。すると、既に形成した用紙Ｓのたわみ量が次第に小さくなるが、そのたわみｆがなくなる前に、素速く（約１．１６ｓｅｃの速さ）カッタモータ５０を駆動してカッタ部１８の歯で用紙Ｓをカットする。カット後は、上記したと同様に、カッタ部１８の歯を初期待機位置に戻すとともに、電磁クラッチ３７をオンしてこの長めのカット用紙Ｓを搬送方向Ｂに搬送して記録部Ｒへと送り込む。
【００２７】
なお、上記の画像記録装置では、セットしたロール紙Ｐの先端をきれいに整えるため、ロール紙Ｐをセットしたとき、ロール紙Ｐから用紙Ｓを１５０ｍｍの長さほど一旦繰り出してカット部１８で予め、カットしておく。しかる後に、はじめてロール紙Ｐから用紙Ｓを繰り出して記録を開始する。
【００２８】
ところで、上述した図示実施例では、給紙カセット１５をカセット収納部１０ａ内に押し込んで装置本体１０に取り付けたとき、凸コネクタ５８を凹コネクタ５９に係合して給紙カセット１５を装置本体１０に電気的に接続した。しかし、この発明では、たとえば図４に示すように、給紙カセット１５側のＰＣＢ５７に取り付けたコネクタ６３と、それに対応した装置本体１０側のコネクタ６４とを、可撓性を有する接続コード６５で接続する構成にしてもよい。これにより、図示のごとく、給紙カセット１５を引き出した状態のままでも、たとえばジャム発生等のトラブル表示を可能にする。
【００２９】
また、この発明は、給紙装置を上下に多段に備える他の画像記録装置にも適用することができる。その場合、たとえば図５に示すように、各段の給紙装置２０の給紙カセット１５に縦断通路６６を設け、その縦断通路６６を形成する片側のガイド板６７の上端に、マイラのような弾性ガイド部材６８を取り付ける構成とする。そして、ロール紙Ｐから繰り出した用紙Ｓを、中継ローラ２１と加圧コロ３０間を通してから弾性ガイド部材６８で搬送方向Ｂへとスムーズに案内する。
【００３０】
さらに、この発明では、以下に示す他の実施例のように、用紙をカットした後にカット部１８の歯を初期待機位置に戻す前に、ロール紙Ｐ側の用紙を手前に引き戻す構成とするとよい。図６に、この他の実施例である複写機の給紙装置２０の駆動機構を示し、上記図３に示した給紙装置２０の各部と対応する部分には同一の符号を付して示す。
【００３１】
この給紙装置２０では、ピックアップローラ１７には、そのローラ軸１７ａの一端にピックアップギヤ７０を固定する。フィードローラ１９は、ワンウェイクラッチを介してローラ軸１９ａに取り付ける。ローラ軸１９ａの一端には、フィードギヤ７１を固定するとともに、その外側に電磁クラッチ７２およびそのクラッチギヤ７３を設ける。そして、ピックアップギヤ７０とフィードギヤ７１間に、タイミングベルト７４を掛け渡す。また、クラッチギヤ７３と、正逆駆動可能な給紙モータ４０のモータギヤ４１間に、タイミングベルト７５を掛け渡す。クラッチギヤ７３とクラッチギヤ４４・４７間に、タイミングベルト４９を掛け渡してなる。
【００３２】
しかして、上述した複写機において、ロール紙Ｐから用紙Ｓを繰り出し、所定長さにカットする場合、給紙モータ４０を駆動して中継ローラ２１およびレジストローラ２２を回転し、電磁クラッチ７２をオンしてピックアップローラ１７およびフィードローラ１９を回転して矢印Ｃ方向に用紙Ｓを繰り出す。繰り出した用紙Ｓは、中継ローラ２１と加圧コロ３０間に到達すると、前記のように、中継ローラ２１とフィードローラ１９との線速の差によりループ状のたわみｆを形成する。
【００３３】
そして、たとえば用紙Ｓのカット長さが比較的長い場合、用紙Ｓをその長さまで送ったとき、電磁クラッチ７２をオフにしてピックアップローラ１７およびフィードローラ１９への回転伝達を遮断して用紙Ｓの繰り出し方向Ｃ後端側での用紙送りを止める一方、その先端側では用紙送りを続ける。すると、既に形成した用紙Ｓのたわみ量が次第に小さくなるが、そのたわみｆがなくなる前に素速くカッタ部１８の歯で用紙Ｓをカットする。
【００３４】
カット後は、カッタモータ５０の駆動を停止する一方、電磁クラッチ７２をオンしてローラ１９・２１・２２でカット用紙Ｓを搬送方向Ｂに搬送して記録部Ｒへと送り込む。そして、レジストセンサ５２がオフして用紙Ｓの後端を検知したとき、給紙モータ４０の駆動をいったん停止する。しかる後、給紙モータ４０を逆駆動し、電磁クラッチ７２をオンしてローラ１７・１９・２１・２２を逆回転し、ピックアップローラ１７によりロール紙Ｐ側の用紙を僅かに（たとえば約５ｍｍ）手前に引き戻す。そして、カッタモータ５０を逆駆動してカッタ部１８の歯を初期待機位置へ戻す。したがって、そのときに、該歯で用紙の先端を引っ掛けて傷を付ける等のトラブルの発生を防止する。
【００３５】
ところでまた、上述した図示実施例において、用紙支持部材５４を、弾性部材で形成し、用紙Ｓのたわみｆにより押して撓ませることによって閉じ位置と開き位置とに移動させた。しかし、この発明では、たとえば次の図示実施例のごとく、用紙支持部材５４を回動可能に設けてその閉じ位置と開き位置とに移動させる構成とすることもできる。
【００３６】
この実施例では、図７に示すように、用紙支持部材５４を、ガイド板部５４ａと、その両端の取付板部５４ｂ・５４ｃとで形成する。一方、給紙カセット１５には、一側の側板部１５ｆに軸孔７９を設け、他側の側板部１５ｇに短軸８０を設ける。そして、短軸８０を取付板部５４ｃの孔５４ｄに入れ、側板部１５ｆの外側からばね保持部材８１の軸８１ａを軸孔７９を通して取付板部５４ｂの孔５４ｅに入れ、用紙支持部材５４を、給紙カセット１５の出し入れ方向Ａ手前側に回動可能に取り付ける。しかして、軸８１ａにねじりコイルばね８２を取り付け、図８に示すように、その一端を用紙支持部材５４に当てる一方、他端を縦断通路６６のガイド板６７に当てて用紙支持部材５４を常時矢印Ｄ方向に付勢し、そのガイド板部５４ａのフィードローラ１９側を固定ガイド板８３の掛止め凹部８３ａに押し当てて図示閉じ位置で保持してなる。
【００３７】
そうして、記録時、フィードローラ１９を回転して繰り出した用紙Ｓを、用紙支持部材５４で案内して矢印Ｃ方向に真っ直に搬送する。そして、その搬送用紙Ｓが中継ローラ２１と加圧コロ３０間に到達したとき、フィードローラ１９との線速の差により、図９に示すように、比較的大きなループ状のたわみｆを形成する。すると、その搬送用紙Ｓのたわみｆに押されて用紙支持部材５４がねじりコイルばね８２に抗して図示開き位置へと回動する。
【００３８】
そして、該用紙Ｓが所定長さになったときその繰り出し方向Ｃ後端側での搬送を止める一方、その先端側では用紙送りを続け、用紙Ｓのたわみｆがなくなる前に、カッタ部１８で用紙Ｓをカットする。しかして、カット用紙Ｓを搬送してたわみｆが小さくなるに従って、ねじりコイルばね８２の付勢力で用紙支持部材５４を回動して元の閉じ位置へ戻す。
【００３９】
さてまた、図７〜図９で示した実施例では、用紙支持部材５４を、用紙のたわみｆに押されて開き位置へ回動する構成とした。しかし、この発明では、次の図示実施例のごとく、ソレノイドを用いて用紙支持部材５４を強制的に開き位置へ回動する構成としてもよい。
【００４０】
この実施例では、上記図７に示した構成に加え、図１０に示すように、さらにソレノイド８５および回動レバー８６を備える。そして、用紙支持部材５４には、孔５４ｅの下側で取付板部５４ｂに孔５４ｆを設ける。給紙カセット１５には、軸孔７９の下側で側板部１５ｆに長孔８７を設け、その長孔８７の下側で外向きにレバー支持軸８８を設ける。回動レバー８６は、細長で薄い板材をコ状に曲げて、その短い一端の先に切欠き凹部８６ａを設け、長い他端の先に外向きに細軸８６ｂを設け、その両端の折り曲げ側にそれぞれ孔８６ｃ・８６ｃを設けてなる。そして、細軸８６ｂを長孔８７に挿入する一方、孔８６ｃ・８６ｃにレバー支持軸８８を通してその先端をＥリング８９で止め、回動レバー８６をレバー支持軸８８を中心として回動自在に側板部１５ｆに取り付ける。しかして、切欠き凹部８６ａに、ソレノイド８５の作動杆８５ａに設けるピン８５ｂを係合し、ソレノイド８５をねじ９１・９１で側板部１５ｆに固定する。そうして、常時は、ねじりコイルばね８２で用紙支持部材５４を付勢し、図１１に示すように、そのガイド板部５４ａの図中左側縁を固定ガイド板８３の掛止め凹部８３ａに押し当てて図示閉じ位置で保持してなる。
【００４１】
さらに、この図示実施例では、図１２に示すように、給紙カセット１５内の中継ローラ２１の下方でセンサ９０をねじ止めしてなる。センサ９０は、軸９０ｂを中心として回転自在に検知レバー９０ａを設け、その検知レバー９０ａを付勢部材（図示省略）で常時矢示方向に回動付勢し、先端を搬送用紙Ｓと直交する検知位置に立てて保持してなる。なお、中継ローラ２１は、検知レバー９０ａが先端位置にあるときその先端が当らないようにローラ部２１ｂを一部削除した形状とする。
【００４２】
そして、記録時、前記ロール紙Ｐから繰り出した搬送用紙Ｓが、中継ローラ２１と加圧コロ３０間に到達すると、その搬送用紙Ｓの先端で検知レバー９０ａを、図１３中矢示するように回動してセンサ９０をオンし、ガイド板６７に当てて止める。しかして、センサ９０で搬送用紙Ｓを検知し、その検知信号に基づきソレノイド８５を作動する。そして、図１４に示すように、作動杆８５ａを吸引して回動レバー８６をレバー支持軸８８を中心として図中矢印Ｅ方向に回動し、その回動にともない細軸８６ｂで用紙支持部材５４をねじりコイルばね８２に抗して図示開き位置へ回動する。一方、搬送用紙Ｓは、中継ローラ２１とフィードローラ１９との線速の差により、比較的大きなループ状のたわみｆを形成する。
【００４３】
そして、搬送用紙Ｓが所定長さになったときその繰り出し方向Ｃ後端側での搬送を止める一方、先端側では用紙送りを続け、用紙Ｓのたわみｆがなくなる前に、カッタ部１８で用紙Ｓをカットする。しかして、カット用紙Ｓを搬送して記録部Ｒへと送り込む。そして、カット用紙Ｓのたわみｆが小さくなるに従ってねじりコイルばね８２の付勢力で用紙支持部材５４を回動し、元の閉じ位置へ戻す。しかして、カット用紙Ｓが検知レバー９０ａの先端を通過したとき、その検知レバー９０ａを前記付勢部材の付勢力で回動して元の検知位置へ戻し、センサ９０をオフし、それに基づきソレノイド８５をオフする。すると、用紙支持部材５４は、ねじりコイルばね８２の付勢力により回動して元の閉じ位置に戻る。
【００４４】
ところで、上述した図示実施例では、センサ９０で搬送用紙Ｓを検知してソレノイド８５を作動する構成とした。しかし、この発明では、たとえば次の実施例のごとく、そのようなセンサ９０を用いないで、ソレノイド８５を所定タイミングで作動させる構成とすることもできる。
【００４５】
この実施例では、図示省略するが、用紙送り用モータとしてステップモータを備えるとともに、そのステップモータのパルス数を計数してソレノイド８５を作動する制御手段を備える。そして、用紙Ｓの繰り出しを開始してから、その先端が図１中符号ｍで示すカット位置から符号ｎで示す中継ローラ位置までのステップモータのパルス数を計数し、それが所定パルス数に達したとき、ソレノイド８５を作動して用紙支持部材５４を閉じ位置から開き位置へ回動させる。
【００４６】
【発明の効果】
したがって、この発明によれば、ロール紙から繰り出した用紙を記録部へと送り込むとき、用紙たわみ部でフィードローラと中継ローラの線速の差により該用紙にたわみを形成することから、その用紙が所定長さになってカットするときその用紙の後端側での搬送を止めても、その先端側では用紙のたわみ量だけ搬送を続けることができ、これにより、用紙をカットするために用紙搬送を止めることによって画像記録に悪影響を与えることを防止することができる。
【００４７】
請求項２に記載のものでは、その用紙たわみ部に、用紙をたわみ可能に支持する用紙支持部材を備え、これにより、その用紙をたわんだ状態でも的確に支持することを可能とする。
【００４８】
請求項３に記載のものでは、用紙のたわみにより押されて変形可能な弾性部材で用紙支持部材を形成する簡単な構成により、搬送用紙をたわみなく案内する閉じ位置とたわみながら案内する開き位置とに移動させることができる。
【００４９】
請求項４に記載のものでは、その閉じ位置と開き位置とに用紙支持部材を回動可能に設ける構成とし、これにより、用紙支持部材を任意の角度に回動することができ、その回動角度に応じて用紙たわみ部での用紙のたわみ量を大きくすることができる。
【００５０】
請求項５に記載のものでは、その閉じ位置と開き位置とに用紙支持部材をソレノイドで強制的に移動する構成とすることから、搬送用紙の腰の強さや用紙支持部材の弾性力の大きさ等に影響されることなく、用紙支持部材を的確に回動させることができる。
【００５１】
請求項６に記載のものでは、用紙送り用ステップモータのパルス数を制御手段で計数してソレノイドを作動させる簡単な構成とし、これにより、コストダウンを達成することができる。
【図面の簡単な説明】
【図１】この発明の一実施例である複写機の概略構成図である。
【図２】その複写機の給紙カセットを引き出した状態において示す斜視図である。
【図３】その複写機の給紙装置の駆動機構を示す斜視図である。
【図４】この発明の他の実施例である複写機において、給紙カセットを引き出した状態で示す斜視図である。
【図５】この発明のさらなる他の実施例である複写機において、その給紙装置の一部を拡大して示す部分縦断面図である。
【図６】この発明のまた別の実施例である複写機において、その給紙装置の駆動機構の斜視図である。
【図７】用紙支持部材を回動可能としたこの発明の他の実施例である複写機において、その給紙カセットを示す分解斜視図である。
【図８】その用紙支持部材を閉じ位置とした給紙カセットの部分縦断面図である。
【図９】開き位置としたその給紙カセットの部分縦断面図である。
【図１０】用紙支持部材をソレノイドで回動可能としたこの発明の他の実施例である複写機において、給紙カセットを示す分解斜視図である。
【図１１】その用紙支持部材を閉じ位置とした状態を示す状態説明図である。
【図１２】そのときセンサの検知レバーを検知位置に保持した状態を示す状態説明図である。
【図１３】そのセンサをオンして搬送用紙を検知した状態を示す状態説明図である。
【図１４】用紙支持部材を図１１の閉じ位置から開き位置とした状態を示す状態説明図である。
【図１５】従来の複写機の概略構成図である。
【符号の説明】
１８  カッタ部
１９  フィードローラ（搬送ローラ）
２１  中継ローラ（搬送ローラ）
５４  用紙支持部材
５５  用紙たわみ部
８２  ねじりコイルばね（付勢部材）
８５  ソレノイド
９０  センサ
ｆ  用紙のたわみ
Ｐ  ロール紙
Ｒ  記録部
Ｓ  用紙
【図１】
0003722378.tif 000002
【図２】
0003722378.tif 000003
【図３】
0003722378.tif 000004
【図４】
0003722378.tif 000005
【図５】
0003722378.tif 000006
【図６】
0003722378.tif 000007
【図７】
0003722378.tif 000008
【図８】
0003722378.tif 000009
【図９】
0003722378.tif 000010
【図１０】
0003722378.tif 000011
【図１１】
0003722378.tif 000012
【図１２】
0003722378.tif 000013
【図１３】
0003722378.tif 000014
【図１４】
0003722378.tif 000015
【図１５】
0003722378.tif 000016